(57)【要約】      （修正有）【課題】  周波数選択性マルチパスフェージングの環境下などでの急激な位相変動が起きた場合でも位相誤差の影響を適応的に補正することが可能な位相同期ループ回路及びこれを用いたマルチキャリアＣＤＭＡ方式受信機並びに位相同期方法を提供する。【解決手段】  位相誤差の値を求めるために用いる選択サブキャリア信号を選択するサブキャリア選択判定部１１と、パイロット信号を用いてチャネル推定値を求めるチャネル推定部７と、チャネル推定値とフーリエ変換処理後の選択サブキャリア信号とで逆拡散を行って復調データを求める逆拡散部５と、復調データを基に、選択サブキャリア信号を再生する手段と、復調データの再生信号と選択サブキャリア信号の位相差を検出する位相差検出部１０と、位相差検出部１０が求めた位相差に基づいて、フーリエ変換処理後の受信信号の位相を補正する位相補正手段とを有する。【選択図】  図１
2006333010.tif 000002
【特許請求の範囲】
【請求項１】
マルチキャリアＣＤＭＡ（Code Division Multiple Access）方式で変調処理された直交マルチキャリア信号をフーリエ変換処理して複数のサブキャリア信号に分離して復調を行う方式の無線データ通信端末の位相誤差の影響を補正する位相同期ループ回路であって、
前記複数のサブキャリア信号の中から前記位相誤差の値を求めるために用いる選択サブキャリア信号を選択する手段と、
前記直交マルチキャリア信号に含まれるパイロット信号を用いてチャネル推定値を求めるチャネル推定手段と、
前記チャネル推定値と前記フーリエ変換処理後の選択サブキャリア信号とで逆拡散を行って復調データを求める逆拡散手段と、
前記フーリエ変換処理後の前記選択サブキャリア信号を遅延させ、前記復調データの再生タイミングと合わせるタイミング手段と、
前記復調データを基に、前記フーリエ変換後に遅延させた前記選択サブキャリア信号を再生する受信信号再生手段と、
前記復調データの再生信号と前記フーリエ変換後に遅延させた前記選択サブキャリア信号の位相差を検出する位相差検出手段と、
前記位相差検出手段が求めた位相差に基づいて、前記フーリエ変換処理後の受信信号の位相を補正する位相補正手段とを有することを特徴とする位相同期ループ回路。
【請求項２】
前記受信信号再生手段は、前記復調データと該復調データを逆拡散するのに用いられたチャネル推定値とで、前記選択サブキャリア信号を再度拡散する手段を有することを特徴とする請求項１記載の位相同期ループ回路。
【請求項３】
前記位相補正手段は、前記位相差検出手段で求めた位相差を前記チャネル推定部で求めた位相差情報に乗算して位相差を補正する手段を有することを特徴とする請求項１又は２記載の位相同期ループ回路。
【請求項４】
前記チャネル推定手段は、前記パイロット信号を逆拡散し、逆拡散した前記パイロット信号と基準となる既知のパイロット信号との差分を求めることにより各サブキャリア信号の位相差を求め、前記チャネル推定値を算出することを特徴とする請求項１から３のいずれか１項記載の位相同期ループ回路。
【請求項５】
請求項１から４のいずれか１項記載の位相同期ループ回路を備えたマルチキャリアＣＤＭＡ受信機。
【請求項６】
マルチキャリアＣＤＭＡ（Code Division Multiple Access）方式で変調処理された直交マルチキャリア信号をフーリエ変換処理して複数のサブキャリア信号に分離して復調を行う際に生じる位相誤差を補正する位相同期方法であって、
前記複数のサブキャリア信号の中から前記位相誤差の値を求めるために用いる選択サブキャリア信号を選択する工程と、
前記直交マルチキャリア信号に含まれるパイロット信号を用いてチャネル推定値を求めるチャネル推定工程と、
前記チャネル推定値と前記フーリエ変換処理後のサブキャリア信号とで逆拡散を行って復調データを求める逆拡散工程と、
前記フーリエ変換処理後の前記選択サブキャリア信号を遅延させ、前記復調データの再生タイミングと合わせるタイミング工程と、
前記復調データを基に、前記フーリエ変換後に遅延させた前記選択サブキャリア信号を再生する受信信号再生工程と、
前記復調データの再生信号と前記フーリエ変換後に遅延させた選択サブキャリア信号との位相差を検出する位相差検出工程と、
前記位相差検出工程において求めた位相差に基づいて、前記フーリエ変換処理後の受信信号の位相を補正する位相補正工程とを有することを特徴とする位相同期方法。
【請求項７】
前記受信信号再生工程では、前記復調データと該復調データを逆拡散するのに用いられたチャネル推定値とで、前記選択サブキャリア信号を再度拡散することを特徴とする請求項６記載の位相同期方法。
【請求項８】
前記位相補正工程では、前記位相差検出工程において求めた位相差を前記チャネル推定部で求めた位相差情報に乗算して位相差を補正することを特徴とする請求項６又は７記載の位相同期方法。
【請求項９】
前記チャネル推定工程では、前記パイロット信号を逆拡散し、逆拡散した前記パイロット信号と基準となる既知のパイロット信号との差分を求めることにより各サブキャリア信号の位相差を求め、前記チャネル推定値を算出することを特徴とする請求項６から８のいずれか１項記載の位相同期方法。
【発明の詳細な説明】
【技術分野】
【０００１】
本発明は、移動体通信システムにおける無線信号の受信復調処理に関し、特に、マルチキャリアＣＤＭＡ方式を採用するマルチキャリアＣＤＭＡ受信装置に関するものであり、中でも周波数選択制フェージング環境などによる位相ずれの影響を補正する位相同期ループ回路及びこれを用いたマルチキャリアＣＤＭＡ方式受信機並びに位相同期方法に関する。
【背景技術】
【０００２】
近年、多数の搬送波（キャリア）を使用した多重通信方式が盛んに研究されている。中でも、マルチキャリアＣＤＭＡ方式は、高速かつ高密度信号のディジタル伝送方式として注目されている。このマルチキャリアＣＤＭＡ方式は、通信品質が高く、かつ干渉にも強いため、特に移動通信の分野における受信方式として有望視されている。
【０００３】
従来のマルチキャリアＣＤＭＡ受信装置について説明する。通信方式としてマルチキャリアＣＤＭＡ方式を採用する移動体通信システムの送受信装置としては、例えば、非特許文献１の「下りリンクＶＳＦ−ＯＦＣＤＭブロードバンドパケット無線アクセスの100Mpaを超えるスループット特性の屋外実験の結果」、電子情報通信学会、RCS研究会４月」に開示される発明がある。
図４に、マルチキャリアＣＤＭＡ方式を採用した従来の移動体通信システムの構成を示す。また、図５に、送信フレームフォーマットを示す。
【０００４】
図４に示すように、移動体通信システムは送信側と受信側とで構成されている。
送信装置は、Ｓ／Ｐ部４１、拡散部４２、結合部４３、ＩＦＦＴ（Inverse Fast Fourier Transform）部４４、ガードインターバル（ＧＩ）付加部４５及びパイロットチャネル生成部４６を有する。Ｓ／Ｐ部４１は、シリアルの送信データをシリアルパラレル変換する。拡散部４２は、パラレルデータをコピー処理した後、それぞれの信号に対して拡散を行う。結合部４３は、パイロットチャネル信号と送信データとを時系列で（時分割で）結合する。ＩＦＦＴ部４４は、逆フーリエ変換を行う。
受信装置は、シンボルタイミング検出部４７、ガードインターバル除去部４８、ＦＦＴ（Fast Fourier Transform）部４９、分離部５０、逆拡散部５１、Ｐ／Ｓ変換部５２、及びチャネル推定部５３を有する。シンボルタイミング検出部４７は、不図示の無線（ＲＦ：radio frequency）部からの受信信号を用いてシンボルタイミングを検出する。ＧＩ除去部４８は、決定されたシンボルタイミングからガードインターバル（ＧＩ）部分を除去する。ＦＦＴ部４９は、ＧＩ部分が除かれた信号に対してフーリエ変換処理演算を行う。分離部５０は、パイロット信号とデータ信号部分とを分離する。逆拡散部５１は、分離されたデータ信号の各サブキャリア信号を逆拡散する。Ｐ／Ｓ変換部５２は、逆拡散された信号をパラレルシリアル変換して復調データを出力する。チャネル推定部５３は、信号分離部５０で分離されたパイロット信号を用いてチャネル推定値を求める。
【０００５】
図５に示すように、送信フレームフォーマットは、パイロットシンボル部分（既知系列）とデータ部分とが交互に存在する構造である。
【０００６】
従来の移動体通信システムの動作について説明する。
まず、送信装置の動作について説明する。Ｓ／Ｆ変換部４１は、符号化などがなされたシリアルの送信データをパラレルのシンボルデータに変換する。拡散部４２では、Ｓ／Ｆ変換部４１から受け取ったシンボルのコピー処理と指定された拡散率に基づく拡散処理とを行う。拡散されたシンボルを多重化したのち、結合部４３は、送信フレームフォーマットに従ってパイロットチャネル生成部４６から送出されるパイロット信号を多重化したシンボルと結合する。ＩＦＦＴ部４４は、結合部４３からの出力を直交マルチキャリア信号に変換する。ＧＩ付加部４５は、ＩＦＦＴ部４４の出力信号にガードインターバルを付加する。ガードインターバル付加後の信号を不図示のＲＦ部から電波として送信することにより信号を出力する。
【０００７】
次に、受信装置の動作について説明する。シンボルタイミング検出部４７は、不図示のＲＦ部で受信された受信信号からシンボルタイミングを検出する。ＧＩ除去部４８は、シンボルタイミング検出部４７において決定されたタイミングでガードインターバルを除去して、シンボルごとに連なった信号を出力する。ＦＦＴ部４９は、ＧＩ除去部４８から受け取った信号に対してフーリエ変換処理を行い、サブキャリア信号成分に分離する。信号分離部５０は、分離されたサブキャリア信号成分から、パイロット信号の部分のみを取り出して、チャネル推定部５３へ出力する。チャネル推定部５３は、信号分離部５０から入力されたパイロット信号を基にチャネル推定値（位相差）を算出する。信号分離部５０において分離された残りのデータ（パイロット信号以外のデータ）は、逆拡散部５１にて、チャネル推定部５３で求められたチャネル推定値を用いて逆拡散が実施される。Ｐ／Ｓ変換部５２は、逆拡散後のパラレルデータをシリアルデータに変換して復調を完了する。
【０００８】
このような移動体通信システムにおいて、周波数選択制フェージングによる変動が高速になる場合でも、データ復調精度などを良好に保つことが可能な方式が特許文献１の「マルチキャリアＣＤＭＡ受信装置」に開示されている。
特許文献１に開示される発明は、誤り訂正後のデータに対して、再符号化、再変調、再拡散処理を施したデータをフィードバックさせてチャネル推定の精度を向上させるものである。
【特許文献１】特開２００３−６９５３０号公報
【非特許文献１】電子情報通信学会技術研究報告  ＲＣＳ−２００１−１〜３，２００４年４月２２日，Ｐ５３〜Ｐ５８，図２，図３
【発明の開示】
【発明が解決しようとする課題】
【０００９】
従来の移動体通信システムの第１の問題点は、従来のマルチキャリアＣＤＭＡ受信機は、パイロット信号を用いて行うチャネル推定のみでそのフレーム間の位相誤差を求めて受信信号の補正を行うため、周波数選択性マルチパスフェージングの影響を受ける環境下で急減な変動があった場合には変動要因を十分に推定することができず、受信信号品質やデータ復調精度が劣化するということである。
【００１０】
第２の問題点は、位相誤差の検出精度を向上させるためのパイロット信号の挿入割合を多くすると、システム全体の伝送効率が低下してしまうということである。
【００１１】
第３の問題点は、復号化まで完了した受信信号を再び再生してチャネルの推定の精度を向上させて補正する方式では、フィードバック時間が多大になり、応答の良好な位相補正ができないこと、及び装置構成が複雑になるということである。
例えば、特許文献１に開示される発明の場合、復号化まで完了した信号（誤り訂正後のデータ）に対して、再符号化、再変調、再拡散処理を施し、再び受信信号を再生してチャネル推定部にフィードバックしている。この場合、位相誤差を検出するために上記の各処理を含め多大な時間をかけていることとなり、フィードバック時間が長くなってしまう。このため、さらなる急激な変動のある環境下では、良好な応答を求めることは構成上不可能となる。
【００１２】
本発明はかかる問題に鑑みてなされたものであり、周波数選択性マルチパスフェージングの環境下などでの急激な位相変動が起きた場合でも位相誤差の影響を適応的に補正することが可能な位相同期ループ回路及びこれを用いたマルチキャリアＣＤＭＡ方式受信機並びに位相同期方法を提供することを目的とする。
【課題を解決するための手段】
【００１３】
上記目的を達成するため、本発明は、第１の態様として、マルチキャリアＣＤＭＡ（Code Division Multiple Access）方式で変調処理された直交マルチキャリア信号をフーリエ変換処理して複数のサブキャリア信号に分離して復調を行う方式の無線データ通信端末の位相誤差の影響を補正する位相同期ループ回路であって、複数のサブキャリア信号の中から位相誤差の値を求めるために用いる選択サブキャリア信号を選択する手段と、直交マルチキャリア信号に含まれるパイロット信号を用いてチャネル推定値を求めるチャネル推定手段と、チャネル推定値とフーリエ変換処理後の選択サブキャリア信号とで逆拡散を行って復調データを求める逆拡散手段と、フーリエ変換処理後の選択サブキャリア信号を遅延させ、復調データの再生タイミングと合わせるタイミング手段と、復調データを基に、フーリエ変換後に遅延させた選択サブキャリア信号を再生する受信信号再生手段と、復調データの再生信号とフーリエ変換後に遅延させた選択サブキャリア信号の位相差を検出する位相差検出手段と、位相差検出手段が求めた位相差に基づいて、フーリエ変換処理後の受信信号の位相を補正する位相補正手段とを有することを特徴とする位相同期ループ回路を提供するものである。
【００１４】
本発明の第１の態様においては、受信信号再生手段は、復調データと該復調データを逆拡散するのに用いられたチャネル推定値とで、選択サブキャリア信号を再度拡散する手段を有することが好ましい。
【００１５】
本発明の第１の態様の上記のいずれの構成においても、位相補正手段は、位相差検出手段で求めた位相差をチャネル推定部で求めた位相差情報に乗算して位相差を補正する手段を有することが好ましい。また、チャネル推定手段は、パイロット信号を逆拡散し、逆拡散したパイロット信号と基準となる既知のパイロット信号との差分を求めることにより各サブキャリア信号の位相差を求め、チャネル推定値を算出することが好ましい。
【００１６】
また、上記目的を達成するため、本発明は、第２の態様として、本発明の第１の態様のいずれかの構成にかかる位相同期ループ回路を備えたマルチキャリアＣＤＭＡ受信機を提供するものである。
【００１７】
また、上記目的を達成するため、本発明は、第３の態様として、マルチキャリアＣＤＭＡ（Code Division Multiple Access）方式で変調処理された直交マルチキャリア信号をフーリエ変換処理して複数のサブキャリア信号に分離して復調を行う際に生じる位相誤差を補正する位相同期方法であって、複数のサブキャリア信号の中から位相誤差の値を求めるために用いる選択サブキャリア信号を選択する工程と、直交マルチキャリア信号に含まれるパイロット信号を用いてチャネル推定値を求めるチャネル推定工程と、チャネル推定値とフーリエ変換処理後のサブキャリア信号とで逆拡散を行って復調データを求める逆拡散工程と、フーリエ変換処理後の選択サブキャリア信号を遅延させ、復調データの再生タイミングと合わせるタイミング工程と、復調データを基に、フーリエ変換後に遅延させた選択サブキャリア信号を再生する受信信号再生工程と、復調データの再生信号とフーリエ変換後に遅延させた選択サブキャリア信号との位相差を検出する位相差検出工程と、位相差検出工程において求めた位相差に基づいて、フーリエ変換処理後の受信信号の位相を補正する位相補正工程とを有することを特徴とする位相同期方法を提供するものである。
【００１８】
本発明の第３の態様においては、受信信号再生工程では、復調データと該復調データを逆拡散するのに用いられたチャネル推定値とで、選択サブキャリア信号を再度拡散することが好ましい。
【００１９】
本発明の第３の態様の上記のいずれの構成においても、位相補正工程では、位相差検出工程において求めた位相差をチャネル推定部で求めた位相差情報に乗算して位相差を補正することが好ましい。また、チャネル推定工程では、パイロット信号を逆拡散し、逆拡散したパイロット信号と基準となる既知のパイロット信号との差分を求めることにより各サブキャリア信号の位相差を求め、チャネル推定値を算出することが好ましい。
【発明の効果】
【００２０】
本発明によれば、周波数選択性マルチパスフェージングの環境下などでの急激な位相変動が起きた場合でも位相誤差の影響を適応的に補正することが可能な位相同期ループ回路及びこれを用いたマルチキャリアＣＤＭＡ方式受信機並びに位相同期方法を提供できる。
【発明を実施するための最良の形態】
【００２１】
〔第１の実施形態〕
本発明を好適に実施した第１の実施形態について説明する。
図１に、本実施形態にかかるマルチキャリアＣＤＭＡ方式受信機の構成を示す。このマルチキャリアＣＤＭＡ方式受信機は、シンボルタイミング検出部１、ＧＩ除去部２、ＦＦＴ部３、分離部４、逆拡散部５、Ｐ／Ｓ変換部６、チャネル推定部７、レプリカ信号生成部８、信号遅延部９、位相差検出部１０、及びサブキャリア選択判定部１１を有する。
シンボルタイミング検出部１は、ＲＦ部からの受信信号を用いてシンボルタイミングを検出する。ＧＩ除去部２は、決定されたシンボルタイミングからガードインターバル部分を除去する。ＦＦＴ部３は、ＧＩ部分が除かれた信号をフーリエ変換処理する。分離部４は、パイロット信号とデータ信号部分とを分離する。逆拡散部５は、分離されたデータ信号の各サブキャリア信号を逆拡散する。Ｐ／Ｓ変換部６は、逆拡散された信号をＰ／Ｓ変換して復調データを出力する。チャネル推定部７は、分離部４で分離されたパイロット信号を用いてチャネル推定値を求める。レプリカ信号生成部８は、逆拡散部５から出力される各サブキャリア信号を用いてレプリカ信号を生成する。信号遅延部９は、ＦＦＴ部３から出力される信号を遅延させタイミングを合わせる。位相差検出部１０は、レプリカ信号生成部８で求められた信号を信号遅延部９でタイミングを合わせた信号を用いて位相差を検出する。サブキャリア判定選択部１１は、位相差の検出に用いるサブキャリアの本数、位置を選択する。
【００２２】
本実施形態にかかるマルチキャリアＣＤＭＡ方式受信装置の動作について説明する。
まず、不図示のＲＦ部で受信された受信信号を基にシンボルタイミング検出部１においてシンボルタイミングを検出する。シンボルタイミング検出部１がシンボルタイミングを検出したのち、ＧＩ除去部２は決定されたタイミングでガードインターバルを除去して、シンボルごとに連なった信号を出力する。次に、ＦＦＴ部３は、ＧＩ除去部２から受け取った信号に対してフーリエ変換処理を行い、サブキャリア信号成分に分離する。信号分離部４は、ＦＦＴ部において分離されたサブキャリア信号成分のうち、パイロット信号の部分のみを取り出し、チャネル推定部７へ入力する。チャネル推定部７は、信号分離部４から入力されたパイロット信号を基に、チャネル推定値を求める。
信号分離部４は、残りのデータ部については、逆拡散部５へ出力する。逆拡散部５は、チャネル推定部７から入力されるチャネル推定値を用いて各サブキャリア信号の逆拡散を行う。逆拡散後のデータは、Ｐ／Ｓ変換部６においてパラレルデータからシリアルデータに変換され、復調データとして出力される。
レプリカ信号生成部８は、サブキャリア選択判定部１１において位相差の検出に用いると決定されたサブキャリア信号を用いて再生受信信号を生成する。また、位相差検出部１０は、サブキャリア選択判定部１１において位相差の検出に用いると決定されたサブキャリア信号（遅延済み）を信号遅延部９から取得し、これを用いて位相差検出部１０で位相差を求める。
位相差検出部１０は、求めた位相差をチャネル推定部７へフィードバックし、すでに決定されているチャネル推定値を制御させ、位相誤差を補正する。これにより、パイロット信号期間に決定された位相差が、周波数選択性マルチパスフェージングなどによってその後のデータ信号部で急激に変動したとしても、追従することが可能となる。
【００２３】
次に、サブキャリア選択判定部１１について説明する。サブキャリア選択判定部１１は、位相差の検出に使用するサブキャリア信号が決定された場合、レプリカ信号生成部８、信号遅延部９及び位相差検出部１０に対して、使用するサブキャリア信号を通知する。レプリカ信号生成部８、信号遅延部９及び位相差検出部１０は、通知された情報に従って、位相差の検出に使用するサブキャリアを選択して各種処理を行う。具体的には、レプリカ信号生成部８は、通知を受けたサブキャリア信号についてレプリカ信号を生成し、生成したレプリカ信号を位相差検出部１０へ出力する。信号遅延部９は、通知を受けたサブキャリア信号について所定の遅延時間分だけ受信信号を遅延させて位相差検出部１０へ出力する。位相差検出部１０は、レプリカ信号生成部８及び信号遅延部９からそれぞれ取得した信号を比較することにより、通知を受けたサブキャリア信号分について位相差を検出し、チャネル推定部７へ出力する。
【００２４】
これにより、パイロット信号期間に決定された位相差が、周波数選択性マルチパスフェージングなどによってその後のデータ信号部で急激に変動したとしても、追従することが可能となる。
【００２５】
〔第２の実施形態〕
本発明を好適に実施した第２の実施形態について説明する。本実施形態にかかるマルチキャリアＣＤＭＡ方式受信装置の構成は、図１に示した第１の実施形態のものと同様である。ただし、本実施形態では、サブキャリア選択判定部１１において、上位レイヤ情報に応じて任意のサブキャリアを選択する。これはあらかじめ、全サブキャリアのうち、固定された任意のサブキャリアを選択する方法である。
具体的には、任意の本数ごとに選択する方法（１本飛ばし、２本飛ばしなど）や、両端及び中央付近を選択する方法である。これにより、全サブキャリアを用いる方法に対して、演算量や消費電力を低減できる。例えば、２本飛ばしなら演算量や消費電力は１／３となる。図２に、２本飛ばしの場合に選択するサブキャリアを示す。
このように、任意のサブキャリアを選択して使用する方法は、消費電力や演算量などと補償精度とがトレードオフとなるため、使用環境がある程度把握され、限定されている場合に有効である。
【００２６】
〔第３の実施形態〕
本発明を好適に実施した第３の実施形態について説明する。本実施形態にかかるマルチキャリアＣＤＭＡ方式受信装置の構成は図１に示した第１の実施形態のものと同様である。
第２の実施形態と同様に、本実施形態においても、サブキャリア選択判定部１１において、任意のサブキャリアを選択する。ただし、本実施形態においては、上位レイヤ情報に基づいて、使用するサブキャリアを各種環境に応じて可変的に選択する。
例えば、各サブキャリアの受信電力を監視し、他のサブキャリアの受信電力との差が任意のしきい値よりも大きいサブキャリアは特性が劣化していると判断し選択する。図３に、本実施形態において選択されるサブキャリアを示す。
受信装置の誤り率が良好な時には、位相制御ループ回路の動作を止め、誤り率の劣化に比例して選択するサブキャリア数を増加させるようにしてもよい。これにより、トータルの演算量と消費電力とを低減できる。
なお、図３はあくまでも一例であり、選択するサブキャリアを限定するものではない。
【００２７】
〔第４の実施形態〕
本発明を好適に実施した第４の実施形態について説明する。本実施形態にかかるマルチキャリアＣＤＭＡ方式受信装置の構成は、図１に示した第１の実施形態のものと同様である。
図６に本実施形態にかかるマルチキャリアＣＤＭＡ受信装置のチャネル推定部７の構成を示す。チャネル推定部７は、パイロット逆拡散部６１、パイロット基準信号部６２、減算部６３、乗算部６４を有する。パイロット逆拡散部６１は、パイロット信号を逆拡散する。パイロット基準信号部６２は、基準となるパイロット信号を発生させる。減算部６３は、パイロット基準信号部６２の値とパイロット逆拡散部６１から出力される信号の位相差分を求める。乗算部６４は、パイロット逆拡散部６１から出力される信号に対して位相差検出部１０から出力される信号と乗算し、任意の値に位相を回転させる。
この構成は、従来の構成に加えて乗算部６４をさらに有する構成である。
【００２８】
本実施形態におけるチャネル推定部７の動作について説明する。各サブキャリア信号のパイロット信号を逆拡散したのち、基準となる既知の基準信号との差分を求めることによって各サブキャリアの位相差を求める。
逆拡散部５では、チャネル推定部７が求めた位相差を分離後の残りの受信信号（データ信号）に乗算することによって位相補正を行ったのち、逆拡散を実施する。本実施形態では、位相検出部１０で求められた各サブキャリアの位相差信号を、乗算部６４において逆拡散後のパイロット信号に乗算することでフレーム信号内の位相差を補正する。
【００２９】
このようにすることで、各サブキャリアの位相差の影響を低減し、上記各実施形態と比較して受信精度をさらに高めることが可能となる。
【００３０】
なお、上記各実施形態は本発明の好適な実施の一例であり、本発明はこれらに限定されることはない。
例えば、第２又は第３の実施形態と第４の実施形態とを組み合わせて実施してもよい。
このように、本発明は様々な変形が可能である。
【図面の簡単な説明】
【００３１】
【図１】本発明を好適に実施した第１の実施形態にかかるマルチキャリアＣＤＭＡ受信機の構成を示す図である。
【図２】サブキャリア信号の選択例の一例を示す図である。
【図３】サブキャリア信号の選択例の一例を示す図である。
【図４】従来のマルチキャリアＣＤＭＡ方式の送信機及び受信機の構成を示す図である。
【図５】フレームフォーマットの一例を示す図である。
【図６】本発明を好適に実施した第４の実施形態にかかるマルチキャリアＣＤＭＡ受信機のチャネル推定部の構成を示す図である。
【符号の説明】
【００３２】
１    シンボルタイミング検出部
２    ＧＩ検出部
３    ＦＦＴ
４    信号分離部
５    逆拡散部
６    Ｐ／Ｓ（パラレル−シリアルコンバータ）
７    チャネル推定部
８    レプリカ信号生成部
９    信号遅延部
１０    位相差検出部
１１    サブキャリア選択判定部
【図１】
2006333010.tif 000003
【図２】
2006333010.tif 000004
【図３】
2006333010.tif 000005
【図４】
2006333010.tif 000006
【図５】
2006333010.tif 000007
【図６】
2006333010.tif 000008